(57)【要約】【課題】ジャムの発生を抑制することができる画像形成装置を提供する。【解決手段】画像形成装置１は、複数のカセットと、画像形成部３と、複数のローラーと、給紙性取得部１１と、カセット指定部１４とを備える。複数のカセットは、シートを収容する。画像形成部３は、シートに画像を形成する。複数のローラーは、複数のカセットに対応して設けられる。複数のローラーは、複数のカセットに収容されたシートを画像形成部３へ向けて給紙する。給紙性取得部１１は、給紙性情報を取得する。給紙情報は、複数のカセットに収容されたシートの対応するカセットからの給紙されやすさを示す。カセット指定部１４は、給紙性取得部１１が取得した給紙性情報に基づいて、複数のカセットのうちの１つのカセットを指定する。カセット指定部１４によって指定されたカセットに対応して設けられたローラーにより、シートが画像形成部３へ向けて給紙される。【選択図】図２
2017081735.tif 000002
【特許請求の範囲】
【請求項１】
シートを収容する複数のカセットと、
前記シートに画像を形成する画像形成部と、
前記複数のカセットに対応して設けられ、前記複数のカセットに収容された前記シートを前記画像形成部へ向けて給紙する複数のローラーと、
給紙性情報を取得する給紙性取得部と、
前記給紙性取得部が取得した前記給紙性情報に基づいて、前記複数のカセットのうちの１つの前記カセットを指定するカセット指定部と
を備え、
前記給紙性情報は、前記複数のカセットの各々に収容された前記シートの対応する前記カセットからの給紙されやすさを示し、
前記カセット指定部によって指定された前記カセットに対応して設けられた前記ローラーにより、前記シートが前記画像形成部へ向けて給紙される、画像形成装置。
【請求項２】
前記給紙性取得部は、前記各カセットに収容された前記シートの厚さ及び／又は前記シートの平滑度を取得して、前記シートの厚さ及び／又は前記シートの平滑度に基づいて前記給紙性情報を取得する、請求項１に記載の画像形成装置。
【請求項３】
印刷サイズ情報及び／又は印刷枚数情報を含む印刷情報を印刷ジョブから取得する印刷情報取得部と、
前記各カセットに収容された前記シートのサイズ情報及び／又は残量情報を含むカセット情報を取得するカセット情報取得部と
を更に含み、
前記カセット指定部は、前記印刷情報、前記カセット情報、及び前記給紙性情報に基づいて、前記各カセットのうちの１つの前記カセットを指定する、請求項１又は請求項２に記載の画像形成装置。
【請求項４】
前記給紙性情報に対して設定する重みづけ係数を記憶する記憶部を更に備え、
前記カセット指定部は、前記記憶部に記憶された前記重みづけ係数によって前記給紙性情報の重みづけを行う、請求項１〜請求項３のいずれか１項に記載の画像形成装置。
【請求項５】
前記各ローラーの摩耗量を取得する摩耗量取得部を更に備え、
前記記憶部は、前記重みづけ係数を複数記憶し、
前記カセット指定部は、前記摩耗量に基づいて、前記複数の重みづけ係数のうちから１つの前記重みづけ係数を選択して重みづけを行う、請求項４に記載の画像形成装置。
【請求項６】
前記重みづけ係数は、第１重みづけ係数、及び前記第１重みづけ係数よりも大きい値を有する第２重みづけ係数を含み、
前記カセット指定部は、
前記摩耗量が閾値よりも大きい場合に前記第２重みづけ係数を選択して重みづけを行い、
前記摩耗量が前記閾値以下の場合に前記第１重みづけ係数を選択して重みづけを行う、請求項５に記載の画像形成装置。
【請求項７】
湿度を取得する湿度取得部を更に備え、
前記記憶部は、前記重みづけ係数を複数記憶し、
前記カセット指定部は、前記湿度に基づいて、前記複数の重みづけ係数のうちから１つの前記重みづけ係数を選択して重みづけを行う、請求項４に記載の画像形成装置。
【請求項８】
前記重みづけ係数は、第１重みづけ係数、及び第１重みづけ係数よりも大きい値を有する第２重みづけ係数を含み、
前記カセット指定部は、
前記湿度が閾値よりも小さい場合に前記第２重みづけ係数を選択して重みづけを行い、
前記湿度が前記閾値以上の場合に前記第１重みづけ係数を選択して重みづけを行う、請求項７に記載の画像形成装置。
【請求項９】
前記各ローラーの摩耗量を取得する摩耗量取得部と、
湿度を取得する湿度取得部と
を更に備え、
前記記憶部は、前記重みづけ係数を複数記憶し、
前記カセット指定部は、前記摩耗量及び前記湿度に基づいて、前記複数の重みづけ係数のうちから１つの前記重みづけ係数を選択して重みづけを行う、請求項４に記載の画像形成装置。
【請求項１０】
前記重みづけ係数は、第１重みづけ係数、及び前記第１重みづけ係数よりも大きい値を有する第２重みづけ係数を含み、
前記カセット指定部は、
前記摩耗量が第１閾値よりも大きい場合及び前記湿度が第２閾値よりも小さい場合のうちの少なくとも一方の場合に、前記第２重みづけ係数を選択して重みづけを行い、
前記摩耗量が前記第１閾値以下の場合且つ前記湿度が前記第２閾値以上の場合に、前記第１重みづけ係数を選択して重みづけを行う、請求項９に記載の画像形成装置。
【発明の詳細な説明】
【技術分野】
【０００１】
本発明は、画像形成装置に関する。
【背景技術】
【０００２】
複合機のような画像形成装置は、用紙のようなシートを収容するカセットを複数備える場合がある。複数のカセットを備えた画像形成装置では、画像を形成する際に、複数のカセットのうちから１つのカセットが指定されて、指定されたカセットからシートが画像形成部へ向けて給紙される。例えば、特許文献１に記載の画像形成装置は、各カセットの用紙残量及び各カセットが収容している用紙のサイズに基づいて、複数のカセットのうちの１つのカセットを指定する。詳しくは、特許文献１に記載の画像形成装置は、ユーザーが指定したサイズの用紙を収容しているカセットを指定する。指定されたカセットの用紙残量のニアエンドが検出されると、指定されたカセットと同一サイズの用紙を収容しているカセットを再度指定する。
【先行技術文献】
【特許文献】
【０００３】
【特許文献１】特開２０１２−２０８４２号公報
【発明の概要】
【発明が解決しようとする課題】
【０００４】
しかしながら、複数のカセットがそれぞれ異なる種別のシートを収容している場合、各カセットに収容されているシートの給紙性（シートのカセットからの給紙されやすさ）にバラツキが生じる可能性がある。このため、複数のカセットのうちから給紙性の低いシートを収容しているカセットが指定された場合、給紙の際にジャムが発生する虞がある。
【０００５】
本発明は、上記課題に鑑み、ジャムの発生を抑制することができる画像形成装置を提供することを目的とする。
【課題を解決するための手段】
【０００６】
本発明の画像形成装置は、複数のカセットと、画像形成部と、複数のローラーと、給紙性取得部と、カセット指定部とを備える。前記複数のカセットは、シートを収容する。前記画像形成部は、前記シートに画像を形成する。前記複数のローラーは、前記複数のカセットに対応して設けられる。前記複数のローラーは、前記複数のカセットに収容された前記シートを前記画像形成部へ向けて給紙する。前記給紙性取得部は、給紙性情報を取得する。前記給紙性情報は、前記複数のカセットの各々に収容された前記シートの対応する前記カセットからの給紙されやすさを示す。前記カセット指定部は、前記給紙性取得部が取得した前記給紙性情報に基づいて、前記複数のカセットのうちの１つの前記カセットを指定する。前記カセット指定部によって指定された前記カセットに対応して設けられた前記ローラーにより、前記シートが前記画像形成部へ向けて給紙される。
【発明の効果】
【０００７】
本発明によれば、ジャムの発生を抑制することができる。
【図面の簡単な説明】
【０００８】
【図１】本発明の実施形態に係る画像形成装置の構成を示す図である。
【図２】本発明の実施形態１に係る画像形成装置の構成を示すブロック図である。
【図３】本発明の実施形態１に係る画像形成装置の処理を示すフローチャートである。
【図４】本発明の実施形態１に係るカセット指定処理を示すフローチャートである。
【図５】本発明の実施形態２に係る画像形成装置の構成を示すブロック図である。
【図６】本発明の実施形態２に係るカセット指定処理を示すフローチャートである。
【発明を実施するための形態】
【０００９】
以下、図面を参照して本発明の実施形態に係る画像形成装置について説明する。なお、図中、同一又は相当部分については同一の参照符号を付して説明を繰り返さない。
【００１０】
［実施形態１］
まず、図１を参照して、実施形態１に係る画像形成装置１の構成について説明する。図１は、画像形成装置１の構成を示す図である。本実施形態において、画像形成装置１は、電子写真方式の複合機である。
【００１１】
図１に示すように、画像形成装置１は、制御部１０、搬送部Ｌ、給紙部２、画像形成部３、転写部４、定着部５、排出部６、及びメディアセンサー１０１を備える。
【００１２】
制御部１０は、例えば、ＣＰＵ（Ｃｅｎｔｒａｌ  Ｐｒｏｃｅｓｓｉｎｇ  Ｕｎｉｔ）、及びＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）によって構成される。制御部１０は、画像形成装置１の各部の動作を制御する。本実施形態では、制御部１０は、印刷ジョブの開始を示す信号を受信すると、画像形成装置１の各部を動作させて印刷ジョブを実行させる。
【００１３】
搬送部Ｌは、シートＳを給紙部２から排出部６まで搬送する。
【００１４】
給紙部２は、４つのカセット２１、及び４つの給紙ローラー２２を備える。各給紙ローラー２２の材料は、例えばＥＰＤＭ（Ｅｔｈｙｌｅｎｅ ｐｒｏｐｙｌｅｎｅ ｄｉｅｎｅ ｔｅｒｐｏｌｙｍｅｒ）を含む。各カセット２１は、複数枚のシートＳを収容可能である。４つの給紙ローラー２２は、４つのカセット２１に対応して設けられる。各給紙ローラー２２は、対応するカセット２１に収容されたシートＳを１枚ずつ画像形成部３へ向けて給紙する。本実施形態において、制御部１０が印刷ジョブを受信すると、４つのカセット２１のうちの１つのカセット２１が指定される。指定されたカセット２１に対して設けられた給紙ローラー２２は、指定されたカセット２１に収容されているシートＳを１枚ずつ画像形成部３へ向けて給紙する。
【００１５】
画像形成部３は、画像データに基づいてトナー像を形成する。形成されたトナー像は、転写部４によってシートＳに転写される。シートＳに転写されたトナー像は、定着部５によってシートＳに定着される。トナー像が定着されたシートＳは排出部６によって画像形成装置１の外部へ排出される。
【００１６】
メディアセンサー１０１は、４つのカセット２１にそれぞれ設けられる。メディアセンサー１０１は、各カセット２１に収容されたシートＳからの反射光を示す信号を制御部１０に送信する。メディアセンサー１０１は、シートＳに光を照射する光源、及びＣＭＯＳ（Ｃｏｍｐｌｅｍｅｎｔａｒｙ Ｍｅｔａｌ Ｏｘｉｄｅ Ｓｅｍｉｃｏｎｄｕｃｔｏｒ）イメージセンサーを含む。ＣＭＯＳイメージセンサーは、シートＳからの反射光を受光して信号を生成する。本実施形態において、ＣＭＯＳイメージセンサーは、シートＳの表面を撮像して得られる信号を生成する。ＣＭＯＳイメージセンサーが生成した信号は、制御部１０に送信される。なお、メディアセンサー１０１は、ＣＭＯＳイメージセンサーに替えてＣＣＤ（Ｃｈａｒｇｅ-Ｃｏｕｐｌｅｄ Ｄｅｖｉｃｅ）イメージセンサーを含んでもよい。また、メディアセンサー１０１は、受光した反射光の波長及び強度を示す信号を制御部１０に送信してもよい。
【００１７】
続いて図２を参照して、画像形成装置１の構成について詳細に説明する。図２は、実施形態１に係る画像形成装置１の構成を示すブロック図である。
【００１８】
図２に示すように、画像形成装置１は、記憶部９、サイズ検知センサー１０２、残量検知センサー１０３を更に備える。
【００１９】
記憶部９は、ＨＤＤ（Ｈａｒｄ  Ｄｉｓｋ  Ｄｒｉｖｅ）、ＲＡＭ（Ｒａｎｄｏｍ  Ａｃｃｅｓｓ  Ｍｅｍｏｒｙ）、及びＲＯＭ（Ｒｅａｄ  Ｏｎｌｙ  Ｍｅｍｏｒｙ）等によって構成される。記憶部９は、制御プログラム、及び給紙性閾値９５を記憶する。
【００２０】
サイズ検知センサー１０２は、各カセット２１に設けられる。サイズ検知センサー１０２は、対応するカセット２１に収容されているシートＳのサイズ及びシートＳの向き（縦向き又は横向き）を検知する。
【００２１】
残量検知センサー１０３は、各カセット２１に設けられる。残量検知センサー１０３は、対応するカセット２１に収容されているシートＳの残量を検知する。
【００２２】
制御部１０は、記憶部９に記憶された制御プログラムを実行することによって、給紙性取得部１１、印刷情報取得部１２、カセット情報取得部１３、及びカセット指定部１４を有するかのごとく機能する。
【００２３】
給紙性取得部１１は、各カセット２１に収容されたシートＳの給紙性情報を取得する。給紙性情報は、シートＳのカセット２１からの給紙されやすさを示す。換言すると、給紙性情報は、各給紙ローラー２２によるシートＳの給紙しやすさを示す。本実施形態において、給紙性取得部１１は、給紙性を数値化した値を取得する。以下、給紙性を数値化した値を給紙性を示す値と記載する。
【００２４】
給紙性取得部１１は、各カセット２１に収容されたシートＳの特性値を取得することによって、シートＳの給紙性を示す値を取得する。本実施形態において、給紙性取得部１１は、各カセット２１に収容されたシートＳの厚さを示す値及び平滑度を示す値を取得する。詳しくは、給紙性取得部１１は、メディアセンサー１０１から送信された信号に基づいて、シートＳの厚さを示す値及び平滑度を示す値を取得する。シートＳの厚さを示す値は、記憶部９に記憶された厚さテーブルを参照することによって取得することができる。厚さテーブルは、メディアセンサー１０１から送信される信号に関連付けられた各厚さの値を格納している。また、シートＳの平滑度を示す値は、記憶部９に記憶された平滑度テーブルを参照することによって取得することができる。平滑度テーブルは、メディアセンサー１０１から送信される信号に関連付けられた各平滑度の値を格納している。給紙性取得部１１は、メディアセンサー１０１から信号を受信すると、厚さテーブルを参照して、受信した信号に対応する厚さの値を取得する。また、給紙性取得部１１は、メディアセンサー１０１からの信号を受信すると、平滑度テーブルを参照して、受信した信号に対応する平滑度の値を取得する。
【００２５】
給紙性取得部１１は、シートＳの厚さの値及びシートＳの平滑度の値を取得すると、取得したシートＳの厚さの値及びシートＳの平滑度の値に基づいて給紙性を示す値を取得する。給紙性を示す値は、シートＳの厚さの値が大きくなると小さくなり、シートＳの厚さの値が小さくなると大きくなる。また、給紙性を示す値は、シートＳの平滑度の値が大きくなると小さくなり、シートＳの平滑度の値が小さくなると大きくなる。本実施形態において、給紙性取得部１１は、記憶部９に記憶された所定の式にシートＳの厚さの値及びシートＳの平滑度の値を代入することによって給紙性を示す値を取得する。
【００２６】
印刷情報取得部１２は、印刷ジョブから印刷情報を取得する。印刷情報は、印刷サイズ情報及び印刷枚数情報を含む。印刷サイズ情報は、印刷ジョブによって画像が形成されるシートＳのサイズを示す情報及びシートＳの向きを示す情報を含む。印刷枚数情報は、印刷ジョブに含まれる画像データに基づいて画像が形成されるシートＳの枚数を示す。以下、印刷ジョブに含まれる画像データに基づいて画像が形成されるシートＳの枚数を「印刷枚数」と記載する場合がある。また、印刷ジョブによって画像が形成されるシートＳのサイズを「印刷サイズ」と記載する場合がある。更に、印刷ジョブによって画像が形成されるシートＳの向きを「印刷向き」と記載する場合がある。
【００２７】
カセット情報取得部１３は、各カセット２１のカセット情報をそれぞれ取得する。各カセット情報は、検知サイズ情報及び残量情報を含む。検知サイズ情報は、対応するカセット２１に収容されているシートＳのサイズを示す情報及びシートＳの向きを示す情報を含む。カセット情報取得部１３は、各カセット２１に設けられたサイズ検知センサー１０２から送信された信号に基づいて、各カセット２１に収容されているシートＳの検知サイズ情報を取得する。残量情報は、対応するカセット２１に収容されているシートＳの残量を示す情報を含む。カセット情報取得部１３は、各カセット２１に設けられた残量検知センサー１０３から送信された信号に基づいて、各カセット２１のシートＳの残量情報を取得する。
【００２８】
カセット指定部１４は、各カセット２１に収容されたシートＳの給紙性情報に基づいて、４つのカセット２１のうちの１つのカセット２１を指定する。本実施形態において、カセット指定部１４は、印刷情報取得部１２が取得した印刷情報、カセット情報取得部１３が取得したカセット情報、シートＳの給紙性情報、及び給紙性閾値９５に基づいて、４つのカセット２１のうちの１つのカセット２１を指定する。
【００２９】
続いて、図３を参照して、画像形成装置１の処理について説明する。図３は、画像形成装置１の処理を示すフローチャートである。
【００３０】
図３に示すように、印刷ジョブの開始を示す信号を制御部１０が受信すると、印刷情報取得部１２は、印刷情報を取得する（ステップＳ１０２）。次いで、カセット情報取得部１３は、カセット情報を取得する（ステップＳ１０４）。次いで、給紙性取得部１１は、給紙性情報を取得する（ステップＳ１０６）。カセット指定部１４は、印刷情報、カセット情報、及び給紙性情報に基づいて「カセット指定処理」を実行する（ステップＳ１０８）。なお、ステップＳ１０２、ステップＳ１０４及びステップＳ１０６の処理の順番は入れ替え可能である。
【００３１】
続いて、図４を参照してカセット指定部１４によるカセット指定処理について詳細に説明する。図４は、実施形態１に係るカセット指定処理を示すフローチャートである。
【００３２】
図４に示すように、カセット指定部１４は、まず、各カセット２１に収容されているシートＳの残量情報及び印刷枚数情報に基づく判定（以下、「枚数判定」と記載する。）を行う（ステップＳ２０２）。詳しくは、カセット指定部１４は、各カセット２１のシートＳの残量が印刷枚数以上であるか否かを判定する。また、カセット指定部１４は、枚数判定の結果に応じて各カセット２１に点数をつける。例えば、カセット指定部１４は、シートＳの残量が印刷枚数以上のカセット２１に「１０」点をつけ、残量が印刷枚数未満のカセット２１に「０」点をつける。なお、カセット指定部１４は、シートＳの残量が０枚のカセット２１を指定しないように設定されている。
【００３３】
次いで、カセット指定部１４は、検知サイズ情報、及び印刷サイズ情報に基づく判定（以下、「サイズ判定」と記載する。）を行う（ステップＳ２０４）。詳しくは、カセット指定部１４は、各カセット２１に収容されているシートＳのサイズが印刷サイズに一致するか否かを判定し、各カセット２１に収容されているシートＳの向きが印刷向きに一致するか否かを判定する。また、カセット指定部１４は、サイズ判定の結果に応じて各カセット２１に点数をつける。例えば、カセット指定部１４は、収容されているシートＳのサイズが印刷サイズと一致し、且つ収容されているシートＳの向きが印刷向きと一致するカセット２１に「１０」点をつける。また、カセット指定部１４は、印刷対象の画像を９０度回転させた印刷向きと、収容されているシートＳの向きとが一致し、且つシートＳのサイズが印刷サイズと一致するカセット２１に「３」点をつける。更に、カセット指定部１４は、上記以外のカセット２１に「１」点をつける。
【００３４】
次いで、カセット指定部１４は、給紙性情報に基づく判定（以下、「給紙性判定」と記載する。）を行う（ステップＳ２０６）。詳しくは、カセット指定部１４は、シートＳの給紙性を示す値が給紙性閾値９５以上であるか否かを判定する。給紙性閾値９５は、給紙性を示す値に対して予め設定される閾値である。また、カセット指定部１４は、給紙性判定の結果に応じて各カセット２１に点数をつける。例えば、カセット指定部１４は、給紙性を示す値が給紙性閾値９５以上のカセット２１、すなわち、給紙しやすいシートＳを収容するカセット２１に「１０」点をつける。なお、給紙しやすいシートＳは、給紙ローラー２２に対して滑りにくいシートＳである。また、カセット指定部１４は、給紙性情報値が給紙性閾値９５未満のカセット２１、すなわち、給紙しにくいシートＳを収容するカセット２１に「５」点をつける。なお、給紙しにくいシートＳは、給紙ローラー２２に対して滑りやすいシートＳである。
【００３５】
次いで、カセット指定部１４は、４つのカセット２１のうちの１つのカセット２１を指定する（ステップＳ２０８）。詳しくは、カセット指定部１４は、各カセット２１の総合点数Ｔ１を算出し、各カセット２１の総合点数Ｔ１に基づいて４つのカセット２１のうちの１つのカセット２１を指定する。総合点数Ｔ１は、以下の（式１）で求められる。
Ｔ１＝Ａｍ＋Ｓｚ＋Ｃｅ・・・（式１）
（式１）において、Ａｍは、枚数判定に基づいて各カセット２１につけられた点数を示し、Ｓｚは、サイズ判定に基づいて各カセット２１につけられた点数を示し、Ｃｅは、給紙性判定に基づいて各カセット２１につけられた点数を示す。
【００３６】
カセット指定部１４は、総合点数Ｔ１の最も大きいカセット２１を指定する。
【００３７】
以上、実施形態１について説明した。本実施形態によれば、カセット指定部１４は、給紙性を示す値の大きいシートＳ、すなわち給紙しやすいシートＳを収容したカセット２１を指定することができる。これにより、ジャムの発生が抑制される。
【００３８】
なお、本実施形態において、給紙性取得部１１は、シートＳの厚さを示す値及びシートＳの平滑度を示す値に基づいて給紙性情報を取得したが、本発明はこれに限定されない。例えば、給紙性取得部１１は、シートＳの厚さを示す値及びシートＳの平滑度を示す値のいずれか一方のみに基づいて、給紙性情報を取得してもよい。
【００３９】
また、本実施形態において、カセット指定部１４が各カセット２１に収容されたシートＳの残量が印刷枚数以上であるか否かを判定し、その判定結果に基づいて各カセット２１に点数をつける場合を例に説明したが、本発明はこれに限定されない。例えば、カセット指定部１４は、各カセット２１にシートＳが収容されているか否かを判定し、その判定結果に基づいて各カセット２１に点数をつけてもよい。
【００４０】
［実施形態２］
続いて、図５、及び図６を参照して、本発明の実施形態２に係る画像形成装置１について説明する。実施形態２では、カセット指定部１４は、重みづけを行ってカセット２１を指定する点が実施形態１と異なる。以下、実施形態２について実施形態１と異なる事項を説明し、実施形態１と重複する事項の説明は割愛する。図５は、実施形態２に係る画像形成装置１の構成を示すブロック図である。
【００４１】
図５に示すように、画像形成装置１は、湿度測定部７を更に備える。湿度測定部７は、給紙部２の近傍に設けられて湿度を測定する。湿度測定部７は、測定した湿度を示す信号を生成し、生成した信号を制御部１０に送信する。
【００４２】
制御部１０は、摩耗量取得部１５、及び湿度取得部１６を更に有するかの如く機能する。
【００４３】
摩耗量取得部１５は、各給紙ローラー２２の摩耗量を取得する。本実施形態において、摩耗量取得部１５は、カウンターを含む。摩耗量取得部１５は、各給紙ローラー２２がカセット２１から給紙したシートＳの枚数を計数する。摩耗量取得部１５は、計数した結果に基づいて各給紙ローラー２２の摩耗量を取得する。
【００４４】
湿度取得部１６は、湿度測定部７から送信された信号に基づいて湿度を取得する。
【００４５】
記憶部９は、重みづけ係数９０、摩耗量閾値９６（第１閾値の一例）、及び湿度閾値９７（第２閾値の一例）を更に記憶する。摩耗量閾値９６は、摩耗量取得部１５が取得する摩耗量に対して予め設定される。湿度閾値９７は、湿度取得部１６が取得する湿度に対して予め設定される。
【００４６】
重みづけ係数９０は、残量重みづけ係数９１、サイズ重みづけ係数９２、及び給紙性重みづけ係数９３を含む。残量重みづけ係数９１は、枚数判定に基づいて各カセット２１につけられた点数に対して設定される。例えば、残量重みづけ係数９１は、「１００」である。サイズ重みづけ係数９２は、サイズ判定に基づいて各カセット２１につけられた点数に対して設定される。例えば、サイズ重みづけ係数９２は、「１０」である。給紙性重みづけ係数９３は、給紙性判定に基づいて各カセット２１につけられた点数に対して設定される。給紙性重みづけ係数９３は、第１給紙性重みづけ係数９３１（第１重みづけ係数の一例）、及び第２給紙性重みづけ係数９３２（第２重みづけ係数の一例）を含む。第２給紙性重みづけ係数９３２は、第１給紙性重みづけ係数９３１よりも大きい値を有する。例えば、第１給紙性重みづけ係数９３１は、「１」であり、第２給紙性重みづけ係数９３２は、「１０」である。なお、残量重みづけ係数９１、サイズ重みづけ係数９２、第１給紙性重みづけ係数９３１、及び第２給紙性重みづけ係数９３２は、適宜変更可能である。
【００４７】
カセット指定部１４は、重みづけを行うために、第１給紙性重みづけ係数９３１及び第２給紙性重みづけ係数９３２のうちから１つを選択する。詳しくは、カセット指定部１４は、摩耗量取得部１５が取得した摩耗量が摩耗量閾値９６よりも大きいか否かを判定する。また、カセット指定部１４は、湿度取得部１６が取得した湿度が湿度閾値９７よりも小さいか否かを判定する。カセット指定部１４は、摩耗量が摩耗量閾値９６よりも大きくない（摩耗量が摩耗量閾値９６以下）と判定し且つ湿度が湿度閾値９７より小さくない（湿度が湿度閾値９７以上）と判定した場合、第１給紙性重みづけ係数９３１を選択して重みづけを行う。また、カセット指定部１４は、摩耗量が摩耗量閾値９６よりも大きいと判定した場合又は湿度が湿度閾値９７よりも小さいと判定した場合に、第２給紙性重みづけ係数９３２を選択して重みづけを行う。
【００４８】
続いて図６を参照して、実施形態２に係るカセット指定部１４によるカセット指定処理について詳細に説明する。図６は、カセット指定処理を示すフローチャートである。図６に示すように、実施形態１において説明したカセット指定処理（図４参照）と比べて、ステップＳ３０２〜ステップＳ３０８が追加される。
【００４９】
図６に示すように、カセット指定部１４は、給紙性判定を行うと（ステップＳ２０６）、摩耗量が摩耗量閾値９６よりも大きいか否かを判定する（ステップＳ３０２）。カセット指定部１４によって摩耗量が摩耗量閾値９６よりも大きくないと判定された場合（ステップＳ３０２：Ｎｏ）、カセット指定部１４は、湿度が湿度閾値９７よりも小さいか否かを判定する（ステップＳ３０４）。カセット指定部１４によって湿度が湿度閾値９７よりも小さくないと判定された場合（ステップＳ３０４：Ｎｏ）、カセット指定部１４は、給紙性重みづけ係数９３として第１給紙性重みづけ係数９３１を選択し（ステップＳ３０６）、処理はステップＳ２０８へ進む。
【００５０】
カセット指定部１４によって摩耗量が摩耗量閾値９６よりも大きいと判定された場合（ステップＳ３０２：Ｙｅｓ）、カセット指定部１４は、給紙性重みづけ係数９３として第２給紙性重みづけ係数９３２を選択し（ステップＳ３０８）、処理はステップＳ２０８へ進む。また、カセット指定部１４によって湿度が湿度閾値９７よりも小さいと判定された場合（ステップＳ３０４：Ｙｅｓ）、カセット指定部１４は、給紙性重みづけ係数９３として第２給紙性重みづけ係数９３２を選択し（ステップＳ３０８）、処理はステップＳ２０８へ進む。
【００５１】
ステップＳ２０８では、カセット指定部１４は、４つのカセット２１のうちの１つのカセット２１を指定する。詳しくは、カセット指定部１４は、各カセット２１の総合点数Ｔ２を算出し、各カセット２１の総合点数Ｔ２に基づいて４つのカセット２１のうちの１つのカセット２１を指定する。総合点数Ｔ２は、以下の（式２）で求められる。
Ｔ２＝Ａｍ×Ｗ１＋Ｓｚ×Ｗ２＋Ｃｅ×Ｗ３・・・（式２）
（式２）において、Ａｍは、枚数判定に基づいて各カセット２１につけられた点数を示し、Ｓｚは、サイズ判定に基づいて各カセット２１につけられた点数を示し、Ｃｅは、給紙性判定に基づいて各カセット２１につけられた点数を示す。Ｗ１は、残量重みづけ係数９１を示し、Ｗ２は、サイズ重みづけ係数９２を示し、Ｗ３は、給紙性重みづけ係数９３を示す。
【００５２】
カセット指定部１４は、総合点数Ｔ２の最も大きいカセット２１を指定する。
【００５３】
給紙ローラー２２の摩耗量が変化すると、給紙ローラー２２によるシートＳの給紙しやすさが変化する可能性がある。詳しくは、給紙ローラー２２は、摩耗量が大きくなると、シートＳを給紙しにくくなる可能性がある。このため、給紙ローラー２２の摩耗量が大きくなると、ジャムが発生しやすくなる虞がある。しかしながら、本実施形態によれば、カセット指定部１４は、給紙ローラー２２の摩耗量に基づいてカセット２１を指定することができる。具体的には、カセット指定部１４は、給紙ローラー２２の摩耗量が摩耗量閾値９６よりも大きいと判定した場合、給紙性を示す値の大きいシートＳ、すなわち、給紙されやすいシートＳが収容されたカセット２１を指定することができる。したがって、ジャムの発生を抑制することができる。
【００５４】
また、カセット指定部１４は、給紙ローラー２２の摩耗量が摩耗量閾値９６より大きくないと判定した場合、給紙性を示す値の小さいシートＳ、すなわち、給紙されにくいシートＳが収容されたカセット２１を指定することができる。これにより、給紙されやすいシートＳのみが消費されることを抑制しつつ、ジャムの発生を抑制することができる。
【００５５】
また、湿度が変化するとシートＳの給紙性が変化する可能性がある。詳しくは、湿度が低くなるとシートＳの間に静電気が発生する可能性がある。この結果、給紙ローラー２２は、シートＳを給紙しにくくなる可能性がある。このため、湿度が低くなるとジャムが発生しやすくなる虞がある。しかしながら、本実施形態によれば、カセット指定部１４は、湿度に基づいてカセット２１を指定することができる。具体的には、カセット指定部１４は、湿度が湿度閾値９７よりも小さいと判定した場合、給紙性を示す値が大きいシートＳ、すなわち、給紙されやすいシートＳを収容しているカセット２１を指定することができる。これにより、ジャムの発生を抑制することができる。
【００５６】
また、カセット指定部１４は、湿度が湿度閾値９７よりも小さくないと判定した場合、給紙性を示す値が小さいシートＳ、すなわち、給紙しにくいシートＳを収容しているカセット２１を指定することができる。これにより、給紙しやすいシートＳのみが使用されることを抑制しつつ、ジャムの発生を抑制することができる。
【００５７】
なお、本実施形態では、カセット指定部１４は、湿度、及び給紙ローラー２２の摩耗量に応じて、給紙性判定に基づいて各カセット２１につけられた点数に対する重みづけ係数（給紙性重みづけ係数９３）を変更したが、本発明はこれに限定されない。例えば、カセット指定部１４は、湿度及び摩耗量のうちいずれか一方に応じて給紙性重みづけ係数９３を変更してもよい。
【００５８】
また、本実施形態では、摩耗量取得部１５は、各給紙ローラー２２がカセット２１から給紙したシートＳの枚数を計数することによって給紙ローラー２２の摩耗量を取得したが、本発明はこれに限定されない。例えば、摩耗量取得部１５は、給紙ローラー２２による１枚のシートＳの給紙に要する時間（以下、給紙時間と記載する。）に基づいて、給紙ローラー２２の摩耗量を取得してもよい。この場合、画像形成装置１は、各給紙ローラー２２の近傍にシートＳの通過を検知する検知センサーを備える。摩耗量取得部１５は、給紙ローラー２２による給紙が開始されてから、検知センサーによってシートＳの通過が検知されるまでに要した時間に基づいて、給紙ローラー２２の摩耗量を取得する。具体的には、給紙ローラー２２の摩耗量が大きくなるほど、給紙時間が長くなる。
【００５９】
以上、本発明の実施形態について、図面（図１〜図６）を参照しながら説明した。但し、本発明は、上記の実施形態に限られるものではなく、その要旨を逸脱しない範囲で種々の態様において実施することが可能である。
【００６０】
例えば、本発明の実施形態では、本発明が電子写真方式の画像形成装置に適用される場合を例に説明したが、本発明はこれに限定されない。例えば、本発明は、インクジェット方式の画像形成装置にも適用可能である。
【産業上の利用可能性】
【００６１】
本発明は、画像形成装置に有用である。
【符号の説明】
【００６２】
１        画像形成装置
３        画像形成部
１１      給紙性取得部
１４      カセット指定部
２１      カセット
２２      給紙ローラー
【図１】
2017081735.tif 000003
【図２】
2017081735.tif 000004
【図３】
2017081735.tif 000005
【図４】
2017081735.tif 000006
【図５】
2017081735.tif 000007
【図６】
2017081735.tif 000008